(57)【要約】【課題】ガイド溝が露出しないようにしたスライドスイッチ装置を提供すること。【解決手段】スライドスイッチ装置は、筐体１と、該筐体１内に設けられるとともに直進往復動自在な移動部６を有したスライドスイッチ４と、前記移動部６を操作すべく前記筐体１の表面側に設けられた操作部３とを有し、前記筐体１には、表面側から裏面側に至って前記移動部６の移動方向に延びるとともに前記移動方向に直交する方向の前記操作部３の端部に位置して通過部７が設けられ、前記通過部７を介して前記移動部６と操作部３とが係合し、前記筐体１は、前記通過部７を表面側から覆う構造とされている。【選択図】図４
2008269838.tif 000002
【特許請求の範囲】
【請求項１】
筐体と、該筐体内に設けられるとともに直進往復動自在な移動部を有したスライドスイッチと、前記移動部を操作すべく前記筐体の表面側に設けられた操作部とを有し、
前記筐体には、表面側から裏面側に至って前記移動部の移動方向に延びるとともに前記移動方向に直交する方向の前記操作部の端部に位置して通過部が形成され、
前記通過部を介して前記移動部と操作部とが係合し、
前記筐体は、前記通過部を表面側から覆う構造とされていることを特徴とするスライドスイッチ装置。
【請求項２】
前記移動部と操作部とは、前記筐体内に設けられた中間部材を介して係合しており、
前記操作部は、前記移動部の移動方向に直交する方向の端部に形成されて、前記通過部を通過して前記中間部材に係合する第１係合部を有し、
前記中間部材は、前記第１係合部に係合する第２係合部と、前記移動部に係合する第３係合部とを有することを特徴とする請求項１記載のスライドスイッチ装置。
【請求項３】
前記第１係合部は、前記操作部の左右両端部に設けられ、前記第２係合部も左右一対に設けられ、前記第３係合部は、前記一対の第２係合部の間に配置されていることを特徴とする請求項２記載のスライドスイッチ装置。
【請求項４】
前記筐体は、前記操作部を支持するとともに前記通過部が形成された筐体本体と、前記通過部を覆い隠すように前記筐体本体に取り付けられるカバー体とからなることを特徴とする請求項１〜３のいずれか一つに記載のスライドスイッチ装置。
【請求項５】
前記筐体本体は、中央部材と該中央部材の側部に位置するサイド部材とからなり、前記サイド部材に前記通過部が形成されていることを特徴とする請求項４記載のスライドスイッチ装置。
【請求項６】
前記筐体本体の左右両側に前記カバー体が配置されて前記操作部の収納凹部が形成され、前記操作部の表面と前記カバー体の表面とが面一に形成されていることを特徴とする請求項４または５記載のスライドスイッチ装置。
【請求項７】
前記カバー体により前記操作部の前記移動部の移動方向に直交する方向の端部表面が覆われて該操作部の筐体本体からの離脱が防止されていることを特徴とする請求項４〜６のいずれか一つに記載のスライドスイッチ装置。
【請求項８】
前記筐体内にテレビジョン放送受信用アンテナ素子が収納され、前記スライドスイッチはアンテナ感度調整用であることを特徴とする請求項１〜７のいずれか一つに記載のスライドスイッチ装置。
【発明の詳細な説明】
【技術分野】
【０００１】
本発明は、スライドスイッチ装置に関する。
【背景技術】
【０００２】
テレビジョン放送等を受信するための室内アンテナとして、特許文献１記載のものが公知である。この特許文献１の「図３」に示される如く、従来の室内アンテナには、アンテナ感度調整用の切換えスイッチ１６（スライドスイッチ）が設けられている。そして、特許文献１の「図１」には、前記スイッチ１６を操作するためのスライド釦１６ａが開示されている。さらに前記「図１」には、スライド釦１６ａがスライド可能とする左右方向のガイド溝が正面側から見えるように設けられている。
【０００３】
なお、前記ガイド溝が外部から見えないように覆う構造として、たとえば特許文献２記載のものが知られている。
【特許文献１】特開２００２−２３７７０９号公報
【特許文献２】特開２０００−２１２６５号公報
【発明の開示】
【発明が解決しようとする課題】
【０００４】
前記特許文献１記載のスライドスイッチ装置では、正面にガイド溝が露出しているので、ガイド溝からほこり等が内部に入りやすくなっていた。
【０００５】
そこで、ガイド溝を覆うために、前記特許文献２記載のような構造を採用することが考えられる。
【０００６】
しかし、前記特許文献２記載の構造では、スライドのストロークが長くなると、スライド釦の長さもガイド溝の全長を覆うように長くしなければならない。したがって、ストロークの長いものには、前記特許文献２記載の構造は採用し難いものであった。
【０００７】
そこで、本発明は、ガイド溝が露出しないようにしたスライドスイッチ装置を提供することを目的とする。
【課題を解決するための手段】
【０００８】
前記目的を達成するために、本発明は、次の手段を講じた。
すなわち、本発明の特徴とするところは、筐体と、該筐体内に設けられるとともに直進往復動自在な移動部を有したスライドスイッチと、前記移動部を操作すべく前記筐体の表面側に設けられた操作部とを有し、前記筐体には、表面側から裏面側に至って前記移動部の移動方向に延びるとともに前記移動方向に直交する方向の前記操作部の端部に位置して通過部が形成され、前記通過部を介して前記移動部と操作部とが係合し、前記筐体は、前記通過部を表面側から覆う構造とされている点にある。
【０００９】
前記移動部と操作部とは、前記筐体内に設けられた中間部材を介して係合しており、前記操作部は、前記移動部の移動方向に直交する方向の端部に形成されて、前記通過部を通過して前記中間部材に係合する第１係合部を有し、前記中間部材は、前記第１係合部に係合する第２係合部と、前記移動部に係合する第３係合部とを有するのが好ましい。
【００１０】
前記第１係合部は、前記操作部の左右両端部に設けられ、前記第２係合部も左右一対に設けられ、前記第３係合部は、前記一対の第２係合部の間に配置されているのが好ましい。
【００１１】
前記筐体は、前記操作部を支持するとともに前記通過部が形成された筐体本体と、前記通過部を覆い隠すように前記筐体本体に取り付けられるカバー体とからなるのが好ましい。
【００１２】
前記筐体本体は、中央部材と該中央部材の側部に位置するサイド部材とからなり、前記サイド部材に前記通過部が形成されているのが好ましい。
【００１３】
前記筐体本体の左右両側に前記カバー体が配置されて前記操作部の収納凹部が形成され、前記操作部の表面と前記カバー体の表面とが面一に形成されているのが好ましい。
【００１４】
前記カバー体により前記操作部の前記移動部の移動方向に直交する方向の端部表面が覆われて該操作部の筐体本体からの離脱が防止されているのが好ましい。
【００１５】
前記筐体内にテレビジョン放送受信用アンテナ素子が収納され、前記スライドスイッチはアンテナ感度調整用であるのが好ましい。
【発明の効果】
【００１６】
本発明によれば、通過部が表面側から覆う構造とされているので、該通過部からのごみ等の進入が防止できる。
【００１７】
また、移動部と操作部とは、筐体内に設けられた中間部材を介して係合しているので、操作部に作用する操作力が直接移動部に作用しないので、長期にわたりスムーズな操作を維持することができる。
【発明を実施するための最良の形態】
【００１８】
以下本発明の実施の形態を図面に基づき説明する。
図１は、本発明のスライドスイッチ装置を具備した、テレビジョン放送受信用の室内アンテナ装置の全体斜視図である。
【００１９】
室内アンテナ装置は、筐体１を有し、該筐体１内にＵＨＦ受信用のループアンテナ素子が収納されている。ＶＨＦ・ＦＭ受信用のロッドアンテナ素子２が、筐体１から出没自在に且つ伸縮自在に設けられている。筐体１は長方体を呈し、中央に貫通穴が設けられてスピーカボックスを真似た形状に形成されている。
【００２０】
このような室内アンテナ装置に、本発明のスライドスイッチ装置が採用されている。
図１においては、スライドスイッチ装置の操作部３が上下方向移動自在に示されている。
【００２１】
図２〜６に示すように、前記スライドスイッチ装置は、前記筐体１と、該筐体１内に設けられたスライドスイッチ４と、該スライドスイッチ４を操作する前記操作部３とを有する。筐体１や操作部３は、合成樹脂等で成形されたものである。
【００２２】
前記スライドスイッチ４は、基板５に取り付けられ、該基板５は、前記筐体１に取り付けられている。スライドスイッチ４は、アンテナ感度調整用であり、直進往復動自在な移動部６を有する。移動部６の移動によりアンテナ感度（指向性）が調整される。移動部６の位置決め機構は、スライドスイッチ内部に設けられている。
【００２３】
前記操作部３は、前記移動部６を操作すべく前記筐体１の表面側に設けられている。
前記筐体１には、通過部７が設けられている。この通過部７は、表面側から裏面側に至って前記移動部６の移動方向に延びるスリット状に形成されている。そして、この通過部７は、前記移動部６の移動方向に直交する方向の前記操作部３の端部に位置して形成されている。
【００２４】
前記通過部７を介して前記移動部６と操作部３とが係合している。
そして、前記筐体１は、前記通過部７を表面側から覆う構造とされている。
【００２５】
図２、３において、前記筐体１は、筐体本体８とカバー体９とから構成されている。前記筐体本体８は中央部に配置され、その左右両側にカバー体９が設けられている。左右のカバー体９の間に筐体本体８を底面とするガイド溝状の収納凹部１０が形成され、この収納凹部１０に前記操作部３が上下方向移動自在に収納されている。そして、前記操作部３の表面と前記カバー体９の表面とが面一とされている。
【００２６】
前記収納凹部１０に収納された操作部３は、正面視正方形を呈し、該操作部３の左右両端部に、目印１１が設けられ、この目印１１に対応して、カバー体９の収納凹部側端部に、位置決め表示部１２が、上下方向に所定間隔を置いて形成されている。
【００２７】
前記操作部３は、位置決め表示部１２の下端から上端までの間を往復移動自在とされている。
【００２８】
図４、５に示すように、左右のカバー体９は、中央の筐体本体８に左右方向から外嵌して組み立てられる構造とされている。
【００２９】
前記筐体本体８は、前記操作部３を支持するとともに該筐体本体８には前記通過部７が形成されている。そして、カバー体９は、前記通過部７を覆い隠すように前記筐体本体８に取り付けられている。
【００３０】
前記カバー体９により、前記移動部６の移動方向に直交する方向の前記操作部３の端部表面が覆われて、該操作部３の筐体本体８からの離脱が防止されている。
【００３１】
図６に示すように、前記筐体本体８は、中央部材１３と該中央部材１３の側部に位置するサイド部材１４とから構成されている。左右一対のサイド部材１４の対向面に形成されたリブ１５に、中央部材１３が外嵌することにより、筐体本体８が組み立てられる。
【００３２】
前記サイド部材１４に前記通過部７が形成されている。
さらに図７〜９に詳細に示す如く、前記移動部６と操作部３とは、前記筐体１内に設けられた中間部材１６を介して係合している。
【００３３】
前記操作部３には第１係合部１７が形成されている。この第１係合部１７は、前記移動部６の移動方向に直交する方向の操作部３の端部に形成されている。この第１係合部１７が、前記通過部７を通過して前記中間部材１６に係合する。
【００３４】
前記中間部材１６は、前記第１係合部１７に係合する第２係合部１８と、前記移動部６に係合する第３係合部１９とを有する。
【００３５】
前記第１係合部１７は、前記操作部３の左右両端部に設けられ、前記第２係合部１８も左右一対設けられ、前記第３係合部１９は、前記一対の第２係合部１８の間の中央部に配置されている。
【００３６】
前記第１係合部１７は、コの字形に形成された凹部を有する。第２係合部１８は、前記凹部に係合する凸部に形成され、該凸部は、中間部材１６の左右両端部に突出形成されている。第３係合部１９は、中間部材１６に形成された嵌合用孔により構成されている。
【００３７】
なお、前記第１係合部１７の表面側が前記カバー体９によって覆われ、操作部３の筐体本体８からの離脱が防止されている。
【００３８】
図１０に示す如く、操作部３の裏面には、左右両側に複数の突起２０が形成されている。この突起２０が、筐体本体８の通過部周縁（図１０に示すハッチング部分）を摺動するように構成されている。
【００３９】
操作部３の裏面全面を筐体本体８の表面に摺接させないで、部分接触させるので、摺動抵抗を減ずることができる。また筐体本体８の外部から見える部分には摺接せず、しかも、前記ハッチング部分は、カバー体９で覆われる領域であるので、摺動面に傷がついても外部から見えず、外観をきれいに保つことができる。
【００４０】
また、操作部３を筐体本体８で支持させたので、操作部３にかかる押圧力が直接スライドスイッチ４に作用することがなくなる。
【００４１】
図１１、１２に示すものは、前記スライドスイッチ４が取り付けられた基板５の筐体１への取り付け構造の詳細である。
【００４２】
筐体本体８の中央部材１３は、四辺を囲う枠形状に形成されているので、基板５を枠方向からねじ止めしようとすると、ドライバーが枠に当たり、ねじ止めが困難であった。
【００４３】
そこで、枠の空間方向からねじ止めすべく、クロス型ブラケット２１を介して基板５を中央部材１３にねじ止めするように構成されている。
【００４４】
中央部材１３の内周面には、枠の空間方向からクロス型ブラケット２１を取り付け可能とするボス２２が形成されている。クロス型ブラケット２１は、このボス２２に当接する第１取付面２３と、該第１取付面２３に直交する第２取付面２４とを有する。第２取付面２４に前記基板５を取り付ける。第２取付面２４には、供回り防止部２５が設けられ、基板５には、この供回り防止部２５に係合する被係合部２６が設けられている。
【００４５】
しかして、図１２に示すように、基板５は、第１ねじ２７によりクロス型ブラケット２１に取り付けられ、図１１に示すように第２ねじ２８によりボス２２に取り付けられる。
【００４６】
なお、本発明は、上記の実施の形態に示すものに限定されるものではない。
たとえば、本発明は、操作部３と移動部６との係合は、中間部材１６を介するものに限定されることなく、移動部６と操作部３とが直接係合するものであっても良い。
【００４７】
また、本発明においては、前記第１係合部１７は、操作部３の左右両端部に設けられたものに限らず、その一端部に設けたものであっても良い。この一端部に設けられた第１係合部と前記移動部とが直接係合するものであっても良い。また係合部の凹凸形状は実施の形態とは逆のものであっても良い。
【００４８】
また本発明は、室内アンテナ装置のアンテナ感度調整用のスライドスイッチに限らず、一般のスライドスイッチに適用できるものである。
【産業上の利用可能性】
【００４９】
本発明のスライドスイッチ装置は、電装品の製造業に利用可能である。
【図面の簡単な説明】
【００５０】
【図１】本発明のスライドスイッチ装置を備えた室内アンテナ装置の斜視図である。
【図２】本発明のスライド装置の実施の形態を示す正面図である。
【図３】図２のＡ−Ａ線断面図である。
【図４】図２の正面側から見た分解斜視図である。
【図５】図２の背面側から見た分解斜視図である。
【図６】図４のさらに詳細な正面側から見た分解斜視図である。
【図７】操作部と筐体本体との関係を示す正面側から見た分解斜視図である。
【図８】操作部と筐体本体との関係を示す背面側から見た分解斜視図である。
【図９】中間部材とスライドスイッチの関係を示す斜視図である。
【図１０】操作部の裏面と筐体本体の摺動面の関係を示す分解斜視図である。
【図１１】基板と筐体本体との取付関係を示す分解斜視図である。
【図１２】基板とブラケットの関係を示す分解斜視図である。
【符号の説明】
【００５１】
１  筐体、３  操作部、４  スライドスイッチ、６  移動部、７  通過部、８  筐体本体、９  カバー体、１０  収納凹部、１３  中央部材、１４  サイド部材、１７  第１係合部、１８  第２係合部、１９  第３係合部。
【図１】
2008269838.tif 000003
【図２】
2008269838.tif 000004
【図３】
2008269838.tif 000005
【図４】
2008269838.tif 000006
【図５】
2008269838.tif 000007
【図６】
2008269838.tif 000008
【図７】
2008269838.tif 000009
【図８】
2008269838.tif 000010
【図９】
2008269838.tif 000011
【図１０】
2008269838.tif 000012
【図１１】
2008269838.tif 000013
【図１２】
2008269838.tif 000014